(57)【要約】【課題】画像読取装置から離れてしまったユーザが画像読取完了等のイベントを察知できる技術を提供する。【解決手段】原稿の画像を読み取る画像読取装置と、前記画像読取装置を制御する制御プログラムを有する携帯端末と、を備え、前記携帯端末において実行される前記制御プログラムから無線通信により前記画像読取装置に読取指示を伝達し、前記画像読取装置が前記読取指示に基づき原稿から読み取った全ての画像データ、又は前記画像読取装置の画像読取処理に関連して生じるイベント通知を、前記携帯端末が前記画像読取装置から受信したときに、前記携帯端末が有する振動部を振動させる画像読取システムとする。【選択図】図２
2018037939.tif 000002
【特許請求の範囲】
【請求項１】
原稿の画像を読み取る画像読取装置と、
前記画像読取装置を制御する制御プログラムを有する携帯端末と、を備え、
前記携帯端末において実行される前記制御プログラムから無線通信により前記画像読取装置に読取指示を伝達し、前記画像読取装置が前記読取指示に基づき原稿から読み取った全ての画像データ、又は前記画像読取装置の画像読取処理に関連して生じるイベント通知を、前記携帯端末が前記画像読取装置から受信したときに、前記携帯端末が有する振動部を振動させることを特徴とする画像読取システム。
【請求項２】
前記制御プログラムは、前記携帯端末が有する表示部に画像読取設定を受け付けるユーザインターフェース画面を表示させるアプリケーションと、前記アプリケーションで受け付けた前記画像読取設定に基づく前記読取指示を前記画像読取装置に伝達するドライバとで構成され、
前記振動部は、前記アプリケーションからの指示に基づいて駆動することを特徴とする請求項１に記載の画像読取システム。
【請求項３】
前記制御プログラムは、前記振動部の振動パターンの設定を受け付ける設定機能を有し、
前記振動部は、前記制御プログラムを通じて設定された振動パターンに基づき振動されることを特徴とする請求項１又は２に記載の画像読取システム。
【請求項４】
前記画像読取装置は、前記画像データの送信に続いて振動パターンに関する情報を前記携帯端末に送信し、
前記携帯端末は、前記振動パターンに関する情報に基づいて前記振動部を振動させることを特徴とする請求項１又は２に記載の画像読取システム。
【請求項５】
前記画像読取装置は、前記振動パターンを設定及び変更可能な操作部を備えたことを特徴とする請求項４に記載の画像読取システム。
【請求項６】
前記画像読取装置は、前記携帯端末との間で無線にて接続する接続部を有し、
前記携帯端末は、前記画像読取装置から前記全ての画像データを受信したことを前記制御プログラムが検知した結果に基づいて、前記制御プログラムからの出力信号に基づいて前記振動部を振動させることを特徴とする請求項１乃至５のいずれか１項に記載の画像読取システム。
【請求項７】
画像読取装置との間で情報通信する通信部と、
前記通信部を通じて前記画像読取装置に伝達するための読取指示をユーザ操作に基づき生成する制御プログラムと、
前記画像読取装置が前記読取指示に基づいて読み取った全ての画像データを前記通信部から前記制御プログラムが受信したときに装置本体を振動させる振動部と、を備えたことを特徴とする情報処理装置。
【請求項８】
携帯端末と無線通信可能な画像読取装置において、
前記携帯端末と通信を行い、画像データを含む情報を送受信する通信手段と、
前記通信手段からの動作中の状況に応じた前記携帯端末に対する通知に基づいて前記携帯端末が有する振動部を振動させることを特徴とする画像読取装置。
【請求項９】
前記通信手段は、前記携帯端末と無線通信を介して通信することを特徴とする請求項８に記載の画像読取装置。
【請求項１０】
前記通信手段は、読取った画像データと、動作状況の情報と、前記携帯端末を振動させる振動パターン設定情報とを前記携帯端末に送信することを特徴とする請求項８又は９に記載の画像読取装置。
【請求項１１】
前記振動パターン設定情報は、前記携帯端末を振動させるパターン及び周期を設定された情報であり、動作中の状態ごとで異なる振動パターン及び周期を設定されることを特徴とする請求項８乃至１０のいずれか１項に記載の画像読取装置。
【請求項１２】
前記振動パターン設定情報をユーザが設定および変更できる操作部を備えたことを特徴とする請求項８乃至１１のいずれか１項に記載の画像読取装置。
【発明の詳細な説明】
【技術分野】
【０００１】
本発明は、例えば、印刷媒体等である原稿の画像を読み取る画像読取装置、及びこの画像読取装置を制御する携帯端末、並びに画像読取システムに関する。
【背景技術】
【０００２】
従来から、大量の原稿をスキャンするために原稿束から原稿を１枚ずつ分離しながら画像を読み取る画像読取装置が知られている（特許文献１参照）。このように画像読取装置を使って大量の原稿をスキャンする場合、スキャンの終了までに時間を要してしまう。特に、解像度を高くした高精度なスキャン設定を行った場合には、さらに時間を要してしまう。
【先行技術文献】
【特許文献】
【０００３】
【特許文献１】特開２０１２−１８２６６２号公報
【発明の概要】
【発明が解決しようとする課題】
【０００４】
ところで、ユーザは、画像読取装置が読み取った原稿束の回収のため、画像読取装置の前でスキャン終了を待機することになるが、スキャン中に別の用事を進めたいときに画像読取装置の場所から一時的に離れてしまうことがある。このため、画像読取装置から離れてしまったユーザは、例えば、スキャン完了等のイベントを察知することが難しい。
【０００５】
本発明は、画像読取装置から離れてしまったユーザが画像読取完了等のイベントを察知できる技術を提供する。
【課題を解決するための手段】
【０００６】
本発明の画像読取システムは、原稿の画像を読み取る画像読取装置と、前記画像読取装置を制御する制御プログラムを有する携帯端末と、を備え、前記携帯端末において実行される前記制御プログラムから無線通信により前記画像読取装置に読取指示を伝達し、前記画像読取装置が前記読取指示に基づき原稿から読み取った全ての画像データ、又は前記画像読取装置の画像読取処理に関連して生じるイベント通知を、前記携帯端末が前記画像読取装置から受信したときに、前記携帯端末が有する振動部を振動させることを特徴とする。
【０００７】
また、本発明の情報処理装置は、画像読取装置との間で情報通信する通信部と、前記通信部を通じて前記画像読取装置に伝達するための読取指示をユーザ操作に基づき生成する制御プログラムと、前記画像読取装置が前記読取指示に基づいて読み取った全ての画像データを前記通信部から前記制御プログラムが受信したときに装置本体を振動させる振動部と、を備えたことを特徴とする。
【０００８】
また、本発明の画像読取装置は、携帯端末と無線通信可能な画像読取装置において、前記携帯端末と通信を行い、画像データを含む情報を送受信する通信手段と、前記通信手段からの動作中の状況に応じた前記携帯端末に対する通知に基づいて前記携帯端末が有する振動部を振動させることを特徴とする。
【発明の効果】
【０００９】
本発明によれば、画像読取装置から離れてしまったユーザが画像読取完了等のイベントを察知できる画像読取装置、情報処理装置及び画像読取システムを実現できる。
【図面の簡単な説明】
【００１０】
【図１】本発明の一実施形態に係る画像読取システムの概略構成図。
【図２】本発明の一実施形態に係る画像読取システムの機能ブロック図。
【図３】本発明の一実施形態に係る画像読取システムの処理フローチャート図。
【図４】振動パターン例を示す波形図。
【発明を実施するための形態】
【００１１】
以下、本発明を実施の形態に基づいて詳細に説明する。
図１には、本発明の一実施形態に係る画像読取装置及び携帯端末を接続した画像読取システムの概略構成図を示す。
【００１２】
図１に示すように、本実施形態の画像読取装置は、用紙等のシートに印刷が施された原稿を搬送しながら原稿の画像を読み取るシートフィード型のスキャナである。
【００１３】
詳細には、図１の画像読取装置１０は、例えば、本実施形態の場合、原稿束が載置される載置トレイ１１１と、装置本体の開口部１１から搬送路ＲＴに原稿を取込み、搬送路ＲＴに沿って原稿を搬送しながら画像を読み取り、搬送路ＲＴが開口する装置本体の排出部１２より原稿を排出する。
【００１４】
また、画像読取装置１０の搬送系は、給送ローラ１１２と、この給送ローラ１１２に対向配置された分離パッド１１３と、搬送路ＲＴに沿って配置された搬送ローラ１５２及び従動ローラ１５１を備える搬送ローラ対と、搬送ローラ１５４及び従動ローラ１５３を備える搬送ローラ対とで構成される。
【００１５】
そして、本実施形態の画像読取装置１０は、載置トレイ１１１上に原稿束が載置され、給送開始に伴って原稿束が分離パッド１１３と給送ローラ１１２とで捌かれ、載置トレイ１１１側の原稿から１枚ずつ分離して開口部１１から搬送路ＲＴに取り込む。
【００１６】
ここで、給送ローラ１１２は、載置トレイ１１１に積載された原稿のうち最下層に位置する原稿を画像読取装置１０内に取り込むための取込ローラである。また、分離パッド１１３は、給送ローラ１１２の外周面と接するように設けられている。
【００１７】
給送ローラ１１２の回転に伴って給送される原稿を、この分離パッド１１３と給送ローラ１１２の外周面との間に取り込むことで、１枚ずつ自動で分離して給送することができる。載置トレイ１１１にセットされた原稿は、給送ローラ１１２及び搬送ローラ対によって搬送経路ＲＴ内を搬送されて、排出部１２から排出される。
【００１８】
具体的には、開口部１１から取り込まれた原稿は、搬送路ＲＴの屈曲部ＲＴｗを通過し、搬送路ＲＴ内で２つの搬送ローラ対により搬送方向下流側に向けて搬送され、搬送路ＲＴを挟んで対向配置された画像読取部１３，１４により片面又は両面の画像が読み取られ、搬送路ＲＴの搬送方向下流側の開口である排出口１２から順次排出される。
【００１９】
画像読取部１３，１４は、開口部１１から排出部１２に至る搬送経路ＲＴの途中に配置され、搬送経路ＲＴ内を搬送される原稿からその画像をスキャンするユニットである。図示しないが、各画像読取部１３，１４は、原稿の搬送方向と直交する方向に原稿の幅よりも幅広の細長い形状を有し、搬送路ＲＴの幅方向略全域に渡って延在している。
【００２０】
なお、画像読取部１３，１４は、例えば、光学的に走査し、電気信号に変換して画像データとして読取るものであり、内部に、赤（Ｒ）、緑（Ｇ）、青（Ｂ）のＬＥＤ等の光源、イメージセンサ、レンズアレー等を備えている。イメージセンサとしては、例えば、密着型イメージセンサ（ＣＩＳ：Contact Image Sensor）が挙げられる。
【００２１】
また、画像読取部１３は、搬送される原稿の上面（裏面）を、画像読取部１４は、原稿の下面（表面）を、それぞれスキャンするように、画像読取部１３は搬送経路ＲＴの天部側に、画像読取部１４は搬送経路ＲＴの底部側にそれぞれ配置されている。
【００２２】
本実施形態では、このように互いに対向配置された画像読取部１３，１４により原稿の両面を読み取る構成としているが、例えば、画像読取部１３，１４のいずれか一方を配して片面をスキャンする構成としてもよいし、原稿の両面を読み取る場合において搬送路ＲＴに沿って画像読取部１３，１４を所定間隔をあけて対向しないように配置してもよい。
【００２３】
なお、本実施形態では、上述したように原稿を分離しながら搬送して画像を読み取る画像読取装置について説明したが、本発明は勿論これに限定されず、例えば、分離手段を有さず、１枚ずつ搬送して画像を読み取る画像読取装置、あるいは、フラットベッドスキャナのように原稿搬送手段を持たない画像読取装置としてもよい。
【００２４】
以下、図２を参照して、本実施形態の画像読取装置と携帯端末とを接続して画像読取処理を行う画像読取システムについて詳細に説明する。図２には、画像読取システムの機能ブロック図を示す。
【００２５】
図２に示すように、画像読取装置１０と携帯端末２０とは、無線通信が可能な外部インターフェース（外部Ｉ／Ｆ部）２０３，４０７を備え、互いに接続され、画像読取システムを構成する。携帯端末２０は、例えば、スマートフォンやタブレット、携帯電話等の操作画面を有する端末である。
【００２６】
携帯端末２０が接続される画像読取装置１０が有する密着型イメージセンサ（ＣＩＳ）１３ａ，１４ａは、ライン状に並んでいる光電変換素子で構成され、光源１３ｂ，１４ｂによる光照射により原稿からの反射光を電気信号に変換して蓄積し、アナログ信号を出力する。
【００２７】
具体的には、ＣＩＳ１３ａ，１４ａは、制御部４０１からライン先頭信号が入力されることで光源１３ｂ，１４ｂが不図示の原稿に光照射したその反射光を拾い蓄積する。
【００２８】
その後、光電変換し、駆動クロックに合わせてアナログ信号を次段の増幅回路４０２へ出力する。増幅回路４０２はＣＩＳ１３ａ，１４ａから出力されたアナログ信号を増幅する。
【００２９】
なお、増幅回路４０２は外部からの指示によりゲインを調整し、所望の値までアナログ信号を増幅することが可能である。増幅回路４０２で増幅されたアナログ信号は、Ａ／Ｄ変換部４０３で任意のビット幅のデジタル信号に変換され、駆動クロックに合わせて読制御部４０１へ出力される。
【００３０】
具体的には、Ａ／Ｄ変換部４０３は制御部４０１からのサンプルタイミング信号に合わせてアナログ信号をサンプリングする。増幅回路４０２とＡ／Ｄ変換部４０３とは、ＡＦＥ（Analog Front End IC）を使用して１つのＩＣとしてもかまわない。
【００３１】
制御部４０１は、詳細は後述するが、携帯端末２０からの読取指示に基づいて、読取系への駆動信号の供給、光源を点灯させるタイミングを制御する信号の供給、駆動系への制御信号の供給などを行うとともに、Ａ／Ｄ変換されたアナログ信号の値を監視する機能を有する。
【００３２】
ここで、読取系は、ＣＩＳ１３ａ，１４ａ（及び光源１３ｂ，１４ｂ）、増幅回路４０２、及びＡ／Ｄ変換部４０３であり、或いはＣＩＳ１３ａ，１４ａ（及び光源１３ｂ，１４ｂ）、及びＡＦＥとなる。光源点灯部４０４は、定電流回路等で構成され、制御部４０１からの光源点灯信号に合わせて光源１３ｂ，１４ｂを点灯する。
【００３３】
光源１３ｂ，１４ｂは、上述したように赤、緑、青のＬＥＤからなり、制御部４０１及び光源点灯部４０４が各ＬＥＤを個別に点灯できるように構成されている。
【００３４】
搬送制御部４０５は、制御部４０１からの駆動制御信号（各種指示）に従って搬送部（上述した給送ローラ１１２、搬送ローラ対１５１〜１５４を駆動する駆動モータ）の回転、停止、速度などを制御する。なお、ここで、給送ローラ１１２と搬送ローラ対１５１〜１５４とを１つのモータで駆動してもよいし、別々のモータで駆動してもよいが、いずれにしても制御部４０１は、搬送制御部４０５を通じてモータ制御を行う。
【００３５】
メモリ４０６は、Ａ／Ｄ変換部４０３でデジタル変換された後、制御部４０１に入力された画像データを一時的に格納する。制御部４０１は、メモリ４０６に格納された画像データを画像読取装置１０に接続された携帯端末２０に対し、外部Ｉ／Ｆ部４０７を通じて送信する際の制御を行う。
【００３６】
このような画像読取装置１０に無線通信により接続される携帯端末２０は、図２に示すように、ＣＰＵ等からなる制御部２０１と、この制御部２０１に接続されたメモリ２０２と、無線通信を行う外部インターフェース（外部Ｉ／Ｆ部）２０３と、端末本体を振動させる振動部となる小型モータ等からなるバイブレータ２０４と、各種表示とユーザからの入力が行える表示部であるディスプレイ２０５とを備える。
【００３７】
詳細には、携帯端末２０が有する制御部２０１は、メモリ２０２に格納された制御プログラム２１１を読出して実行する。この制御プログラム２１１は、例えば、本実施形態では、ディスプレイにおいて画像読取設定（例えば、解像度、カラー又はモノクロ、サイズ指定等のスキャン設定）をユーザから受け付けるためのユーザインターフェース（ＵＩ）画面を表示させるアプリケーション２１１ａと、アプリケーションで受け付けた画像読取設定に基づく読取指示（画像読取装置１０に対する読取指令等）を画像読取装置１０に伝達するためのドライバ２１１ｂとで構成される。
【００３８】
例えば、アプリケーション２１１ａがディスプレイ２０５のＵＩ画面を通じてユーザからの読取設定を受け付けると、ドライバ２１１ｂが読取設定に基づく読取指示を当該ドライバ２１１ｂから外部Ｉ／Ｆ部２０３を通じて画像読取装置１０へ伝達する。
【００３９】
画像読取装置１０では、制御部４０１が外部Ｉ／Ｆ４０７を通じて携帯端末２０からの読取指示を受けると、読取指示に基づいて搬送制御部４０５、光源点灯部４０４、及び読取系（ＣＩＳ１３ａ，１４ａ、増幅回路４０２、Ａ／Ｄ変換部４０３）に各種信号等を伝えて読取制御を行う。
【００４０】
そして、このような読取制御を行ったことで得られる画像データを制御部４０１がＡ／Ｄ変換部４０３から受け取ると、メモリ４０６に記憶させる。
【００４１】
また、制御部４０１は、例えば、本実施形態では、携帯端末２０からのＲｅａｄコマンド（画像データの送信要求）に応じて、メモリ４０６内の画像データ（ここでは１頁分の画像データ）を外部Ｉ／Ｆ部４０７を通じて、携帯端末２０に送信する。なお、制御部４０１は、携帯端末２０からのＲｅａｄコマンドに応じて、メモリ４０６内の画像データを分割又は一括で携帯端末２０に送信する。例えば、１頁分の画像データを分割して送信する場合、受け取った携帯端末２０では、１頁分の画像データに結合処理が行われる。
【００４２】
画像データを外部Ｉ／Ｆ部２０３を通じて受け取った制御部２０１は、メモリ２０２に記憶する。より詳細には、制御部２０で実行される制御プログラム２１１が、画像データを受け取ってメモリ２０２に記憶する。
【００４３】
例えば、本実施形態では、まずドライバ２１１ｂが画像データを受けてメモリ２０２に記憶すると共に、画像データをメモリ２０２に記憶した時点で、画像データを受信した又はメモリ２０２に記憶したことを意味するイベント情報（スキャン完了イベント）をアプリケーション２１１ａ伝達する。
【００４４】
スキャン完了イベント通知を受け取ったアプリケーション２１１ａは、バイブレータ２０４に対して制御信号を発行し、制御信号を受け取ったバイブレータ２０４は端末本体を振動させる。なお、ドライバ２１１ｂから直接、バイブレータ２０４に対して制御信号を送信し、アプリケーション２１１ａを介さずにバイブレータ２０４を制御するようにしてもよい。
【００４５】
これにより、ユーザは、例えば、画像読取装置１０から離れた場所にいたとしても、携帯端末１０において画像データを受信したこと、すなわち、画像読取装置１０においてスキャンが完了したことをその遠隔地で知ることができる。
【００４６】
なお、例えば、本実施形態において、画像読取装置１０から１頁分の画像データを分割して携帯端末２０に送信する場合、受け取った携帯端末２０では、１頁分の画像データに結合処理が行われたタイミングでバイブレータ２０４を振動制御してもよいし、結合処理を行う前の最後の部分画像データを受信したタイミングでバイブレータ２０４を振動制御してもよいし、画像読取装置１０から送信される画像データの送信完了通知を受け取ったタイミングでバイブレータ２０４を振動制御してもよい。
【００４７】
また、上述した説明では、画像読取装置１０と携帯端末２０とで１枚分の画像データの取り扱いを例に挙げたが、例えば、画像読取装置１０にて複数枚の画像データを読み取る場合については、全ての画像データを携帯端末２０が受信したときに、アプリケーション２１１ａがバイブレータ２０４を振動させるようにすればよい。携帯端末２０からの読取指示が枚数指定の場合、その指定枚数の画像データの全てを携帯端末２０が受信したときに、アプリケーション２１１ａがバイブレータ２０４を振動させればよい。
【００４８】
なお、携帯端末２０が読取指示に基づく全ての画像データを受信したか否かの判断は、例えば、読取指示に相当する画像データを入手したかどうかを携帯端末２０が判断するようにしてもよいし、画像読取装置１０から読取指示に基づく全ての画像データを送信したことを示すコマンド通知を携帯端末２０が受けたことで判断するようにしてもよい。
【００４９】
また、本実施形態では、アプリケーション２１１ａがバイブレータ２０４に対して駆動信号を送信する場合について説明したが、制御部２０１が画像読取装置１０から画像データを受け取ったことを知った時点で、制御部２０１からの出力信号に基づいてバイブレータ２０４を駆動制御してもよい。
【００５０】
なお、上述した説明では、画像読取装置１０と携帯端末２０とで画像データの送受信に関して説明したが、本発明は勿論これに限定されず、例えば、画像読取装置１０のエラー通知など、画像読取装置１０の画像読取処理に関連して生じるイベント通知を携帯端末２０が受けた段階で、バイブレーション２０４を振動させるようにしてもよい。
【００５１】
ここで、バイブレーション２０４については、振動のパターンおよび周期が異なる数種類の各種振動パターンの設定を可能としてもよい。例えば、画像読取装置１０の本体に操作パネルを設け、その操作パネルを通じて振動パターンを設定可能とする。そして、携帯端末２０に送信する画像データに続いて画像読取装置１０から携帯端末２０に振動パターンを通知し、携帯端末２０は、通知を受けた振動パターンに基づいてバイブレーション２０４を制御するようにしてもよい。
【００５２】
振動パターンとしては、例えば、画像読取の完了を通知する第１パターン、画像読取りの過程で生じたエラーを通知するための第２パターン（第１パターンと異なる振動パターン）等を挙げることができる。
【００５３】
なお、振動パターンには、振動させないＯＦＦモード（非振動モード）を含めてもよい。非振動モードでは、携帯端末２０が有する表示部で点灯制御などを行わせるようにしてもよい。また、この振動パターンの設定においては、画像読取装置１０で生じる各種イベント（エラー、画像スキャン完了等）の動作状況に関連付けて設定するようにすれば、状況に合わせて携帯端末２０を振動させることが可能となる。勿論、一度設定した振動パターンは、上記操作パネルを通じて適宜、変更可能としてもよい。
【００５４】
いずれにしても、携帯端末２０において実行される制御プログラム２１１から無線通信により画像読取装置１０に読取指示を伝達し、画像読取装置１０がその読取指示に基づき原稿から読み取った全ての画像データ、又は画像読取装置１０の画像読取処理に関連して生じるイベント通知を、携帯端末２０が画像読取装置１０から受信したタイミングで、携帯端末２０が有するバイブレーション（振動部）２０４を振動させるようにすればよい。
【００５５】
これにより、ユーザは画像読取装置１０から離れた遠隔地でも、画像の読取りが完了したこと認識できる。これにより、画像読取処理が終わっていないにも関わらず、原稿束の回収のために画像読取装置１０の設置場所に戻ってしまう事態を未然に防ぐことができる。
【００５６】
以下、図３を参照して、上述した画像読取システムの処理フローについて説明する。
【００５７】
まず、原稿をスキャンするための準備を始める(ステップＳ１)。このステップＳ１では、スキャン準備として、画像読取装置１０の電源投入（電源ＯＮ）後に、画像読取装置１０と携帯端末２０とを無線接続にて接続設定を行う。
【００５８】
次に、スキャンの準備が終了すると、携帯端末２０と無線通信接続を開始する(ステップＳ２)。ステップＳ２において無線通信接続が正常に行われなかった場合(ステップＳ２：Ｎｏ)、無線通信接続をリトライする。無線通信接続のリトライは、画像読取装置１０が操作部を有する場合には画像読取装置１０から行うようにしてもよいし、携帯端末２０側から行うようにしてもよい。
【００５９】
続いて、画像読取装置１０と携帯端末２０とで無線通信接続が成功した場合は(ステップＳ２：Ｙｅｓ)、携帯端末２０からのスキャン開始の指示コマンド（読取指示コマンド）が受信されるのを待つ(ステップＳ３：Ｎｏ)。本実施形態では、スキャンコマンドをスキャン開始の指示コマンドとしている。
【００６０】
画像読取装置１０の外部Ｉ／Ｆ部４０７によりスキャンコマンドを受信したら(ステップＳ３：Ｙｅｓ)、制御部４０１が画像読取部１３，１４及び搬送系に制御信号を出して、原稿のスキャンを開始する(ステップＳ４)。
【００６１】
次に、制御部４０１は、画像読取部１３，１４で読み取った画像データをメモリ４０６に記憶する（ステップＳ５）。ここでは、メモリ４０６のうちバッファメモリに画像データを保存する。
【００６２】
なお、スキャン中や画像データの保存中に制御部４０１は、携帯端末２０から外部Ｉ／Ｆ部４０７にＲｅａｄコマンドが送信されてくるのを常に監視している(ステップステップＳ６)。本実施形態でのＲｅａｄコマンドは、携帯端末２０にデータを送信するように画像読取装置１０に指示する指示コマンドを指している。
【００６３】
次いで、外部Ｉ／Ｆ部４０７に対して携帯端末２０からのＲｅａｄコマンドの受信がない場合は(ステップＳ６：Ｎｏ)、メモリ４０６（バッファメモリ）の最大容量まで画像データを書込む。
【００６４】
そして、外部Ｉ／Ｆ部４０７がＲｅａｄコマンドを受信した場合（ステップＳ６：Ｙｅｓ）、制御部４０１は、メモリ４０６に書き込んだ画像データの読出しを行う（ステップＳ７）。
【００６５】
このようにして制御部４０１が画像データの読出し後は、外部Ｉ／Ｆ部４０７を通じて携帯端末２０へと画像データを送信する(ステップＳ８)。本実施形態では、携帯端末２０からＲｅａｄコマンドを受信すると、画像データを一定のデータサイズごとに携帯端末２０へと送信する。または、原稿１枚を全てスキャンした後に、その画像データを一度に携帯端末２０に送信する構成も取れる。
【００６６】
ここで、制御部４０１は、携帯端末２０への画像データ送信中に画像読取装置１０にエラーが発生しないかを監視する(ステップＳ９)。図３のフローチャートでは、画像データ送信中のエラー状況を監視しているが、スキャン開始後から常にエラーの発生を監視してもよい。
【００６７】
ステップＳ９においてエラーの発生がなければ(ステップＳ９：Ｎｏ)、制御部４０１はメモリ４０６内に送信していない未送信の画像データがないか確認する。(ステップＳ１０)。
【００６８】
送信していない画像データがメモリ４０６内に残っていた場合(ステップＳ１０：Ｎｏ)、制御部４０１は、メモリ４０６に残っている未送信の画像データの読出しを行い、外部Ｉ／Ｆ部４０７を通じて携帯端末２０へと画像データを送信する。
【００６９】
ここで、メモリ４０６に書込んだ全ての画像データを携帯端末２０に送信すると(ステップＳ１０：Ｙｅｓ)、画像データの送信を終了する。本実施形態では、Ｒｅａｄコマンドを携帯端末２０から一度受信すればメモリ４０７に書込んだ画像データを携帯端末２０へと自動的に送信していく。スキャンが終了し、且つメモリ４０７に書込んだ画像データの送信が全て終わると、携帯端末２０への画像データの送信は自動的に終了する。
【００７０】
なお、図３の処理フローでは、更に、画像読取装置１０からのデータ送信終了後、制御部４０１はメモリ４０７（実際にはサブメモリ）からスキャン終了時の振動パターン設定情報を読み出す(ステップＳ１１)。この振動パターン設定情報は、予め画像読取装置１０において振動パターンとして設定されている情報であるが、画像読取装置１０に操作パネルがある場合にはそこで設定してもよいし、携帯端末２０から設定してもよい。本実施形態では、例えば、スキャン終了時には図４に記載の振動パターン設定情報１を設定している。
【００７１】
読み出した振動パターン設定情報1は、画像読取装置１０から携帯端末２０へと送信する(ステップＳ１２)。携帯端末２０は、制御部２０１がバイブレータ２０４を制御して、振動パターン設定情報１に応じた振動パターンおよび周期でバイブレータ２０４を振動させる。
【００７２】
なお、振動パターン設定情報の読出しおよび送信は、画像データを携帯端末２０にすべて送信する前に予め送るようにしてもよいが、その場合には、全ての画像データを送信したこと示すコマンドを画像読取装置１０から携帯端末２０に送信するようにすればよい。既に、携帯端末２０側で振動パターンが設定されている場合には、原稿のスキャン終了時において画像読取装置１０から全ての画像データを送信したことを示すコマンドを送信し、そのコマンドを受信した携帯端末２０が自らバイブレータ２０４を振動させるように制御してもよい。
【００７３】
図３のフローチャートに戻り、画像データを携帯端末２０に送信中に画像読取装置１０においてエラーが発生した場合には(ステップＳ８：Ｙｅｓ)、画像読取装置１０における原稿のスキャンを中止する。(ステップＳ１３)。なお、画像読取装置１０の制御部４０１は、エラーを常に監視しており、原稿のスキャン中にエラーが起きた場合でもスキャンを中止することが可能である。
【００７４】
ここで、画像読取装置１０においてスキャンを中止したら、メモリ（サブメモリ）４０６からエラーに応じた振動パターン設定情報を読み出す(ステップＳ１３)。例えば、ジャムエラーが発生したとすると、本実施形態では、ジャムエラー時には図４に記載の振動パターン設定情報２を設定しているとすれば、メモリ４０６から設定されている振動パターン設定情報２を読み出す。
【００７５】
次に、制御部４０１は、外部Ｉ／Ｆ部４０７を通じて振動パターン設定情報２を携帯端末２０に送信する(ステップＳ１２)。携帯端末２０は、振動パターン設定情報2に応じた振動パターンおよび周期で振動する。なお、画像読取装置１０は、携帯端末２０に振動パターン設定情報１，２を送信すると一連の動作を終了する。
【００７６】
以上、本発明を一実施形態に基づいて詳細に説明したが、本発明は上述した一実施形態に限定されるものではない。例えば、上述した一実施形態では、携帯端末２０が画像読取装置１０から全ての画像データを受信したタイミングで振動させる場合について説明したが、例えば、画像読取装置１０でエラーが発生した場合のみ、画像読取装置１０からのエラー通知に基づいて携帯端末２０を振動させるようにしてもよい。
【００７７】
また、本発明では、自動搬送機構のある画像読取装置に限らず、例えば、フラットベット型のような自動原稿搬送機構のない画像読取装置にも実施できる。また、画像読取装置付きのプリンターなどの複合機においても、印刷終了等の各種通知を携帯端末が受け取ったタイミングで携帯端末を振動させる場合にも本発明を適用できる。
【００７８】
また、本発明は、上述した一実施形態にて説明した画像読取システムだけでなく、画像読取装置又は携帯端末についても広く対象とする。
【００７９】
なお、本発明は以下のような態様を含むものである。
例えば、本発明の一態様としては、原稿の画像を読み取る画像読取装置と、前記画像読取装置を制御する制御プログラムを有する携帯端末と、を備え、前記携帯端末において実行される前記制御プログラムから無線通信により前記画像読取装置に読取指示を伝達し、前記画像読取装置が前記読取指示に基づき原稿から読み取った全ての画像データ、又は前記画像読取装置の画像読取処理に関連して生じるイベント通知を、前記携帯端末が前記画像読取装置から受信したときに、前記携帯端末が有する振動部を振動させることを特徴とする画像読取システムにある。
かかる本発明の態様によれば、画像読取装置から離れてしまったユーザが画像読取完了等のイベントを速やかに察知できる。
【００８０】
また、上記本発明では、前記制御プログラムは、前記携帯端末が有する表示部に画像読取設定を受け付けるユーザインターフェース画面を表示させるアプリケーションと、前記アプリケーションで受け付けた前記画像読取設定に基づく前記読取指示を前記画像読取装置に伝達するドライバとで構成され、前記振動部は、前記アプリケーションからの指示に基づいて駆動することを特徴としてもよい。
かかる本発明の態様によれば、ユーザからの読取設定を受け付けるアプリケーションが画像データの受信を受けたタイミングでアプリケーションが振動部を振動させ、速やかにユーザに知らせることができる。
【００８１】
また、上記本発明では、前記制御プログラムは、前記振動部の振動パターンの設定を受け付ける設定機能を有し、前記振動部は、前記制御プログラムを通じて設定された振動パターンに基づき振動されることを特徴としてもよい。
かかる本発明の態様によれば、設定された振動パターンによりユーザがイベント通知を察知し易くなる。
【００８２】
また、上記本発明では、前記画像読取装置は、前記画像データの送信に続いて振動パターンに関する情報を前記携帯端末に送信し、前記携帯端末は、前記振動パターンに関する情報に基づいて前記振動部を振動させることを特徴としてもよい。
かかる本発明の態様によれば、画像読取装置から振動パターンを画像データの送信と共に行うことで、直ぐに振動部を所定の振動パターンで振動させることができる。
【００８３】
また、上記本発明では、前記画像読取装置は、前記振動パターンを設定及び変更可能な操作部を備えたことを特徴としてもよい。
かかる本発明の態様によれば、ユーザの使い勝手に合わせて振動パターンを設定又は変更できる。
【００８４】
また、上記本発明では、前記画像読取装置は、前記携帯端末との間で無線にて接続する接続部を有し、前記携帯端末は、前記画像読取装置から前記全ての画像データを受信したことを前記制御プログラムが検知した結果に基づいて、前記制御プログラムからの出力信号に基づいて前記振動部を振動させることを特徴としてもよい。
かかる本発明の態様によれば、読取指示を出す制御プログラムが読取指示に基づく像データを全て受信したら直ぐに振動部を振動させることができるため、ユーザはいち早く画像データの受信を確認できる他、画像読取装置から遠隔地にいる場合には原稿を直ぐに回収できる。
【００８５】
本発明の他の態様としては、画像読取装置との間で情報通信する通信部と、前記通信部を通じて前記画像読取装置に伝達するための読取指示をユーザ操作に基づき生成する制御プログラムと、前記画像読取装置が前記読取指示に基づいて読み取った全ての画像データを前記通信部から前記制御プログラムが受信したときに装置本体を振動させる振動部と、を備えたことを特徴とする携帯端末にある。
かかる本発明の態様によれば、画像読取装置から離れた遠隔地にいる場合、画像データの受信完了とともに原稿の回収を速やかに行うことができる。
【００８６】
本発明の他の態様としては、携帯端末と無線通信可能な画像読取装置において、前記携帯端末と通信を行い、画像データを含む情報を送受信する通信手段と、前記通信手段からの動作中の状況に応じた前記携帯端末に対する通知に基づいて前記携帯端末が有する振動部を振動させることを特徴とする画像読取装置にある。
かかる本発明に態様によれば、携帯端末の振動に基づいて画像読取装置の動作状況を知ることができる。
【００８７】
また、上記本発明では、前記通信手段は、前記携帯端末と無線通信を介して通信することを特徴としてもよい。
かかる本発明の態様によれば、無線通信を通じて画像読取装置から遠隔地にいるユーザに対しても通信が可能となる。
【００８８】
また、上記本発明では、前記通信手段は、読取った画像データと、動作状況の情報と、前記携帯端末を振動させる振動パターン設定情報とを前記携帯端末に送信することを特徴としてもよい。
かかる本発明の態様によれば、画像読取手段から画像データと共に振動パターンを携帯端末に送信することにより、それらを受信した携帯端末は、そのことを直ぐにユーザに振動を通じて知らせることができる。
【００８９】
また、上記本発明では、前記振動パターン設定情報は、前記携帯端末を振動させるパターン及び周期を設定された情報であり、動作中の状態ごとで異なる振動パターン及び周期を設定されることを特徴としてもよい。
かかる本発明の態様によれば、振動パターンにより動作状態を識別できる。
【００９０】
また、上記本発明では、前記振動パターン設定情報をユーザが設定および変更できる操作部を備えたことを特徴としてもよい。
かかる本発明の態様によれば、ユーザの使い勝手に合わせて振動パターンを設定できる。
【図１】
2018037939.tif 000003
【図２】
2018037939.tif 000004
【図３】
2018037939.tif 000005
【図４】
2018037939.tif 000006